(57)【要約】【課題】中空ゴルフクラブヘッドにおいて、フェース部、クラウン部およびソール部の振動特性を制御することにより、飛距離および打音の最適化を図る。【解決手段】フェース部３４、クラウン部３６およびソール部３２を備えた中空ゴルフクラブヘッド３０において、フェース部の１次たわみモード周波数をＦｆ、クラウン部の１次たわみモード周波数をＦｃ、ソール部の１次たわみモード周波数をＦｓとしたとき、Ｆｆ、ＦｃおよびＦｓが下記式（１）、（２）、（３）  ３０００Ｈｚ＜Ｆｆ＜４０００Ｈｚ  …（１）  ３０００Ｈｚ＜Ｆｃ＜４０００Ｈｚ  …（２）  Ｆｓ＞４０００Ｈｚ  …（３）を満たすとともに、フェース部、クラウン部およびソール部がいずれも３０００Ｈｚ以下のモード周波数を持たないようにする。【選択図】図１
2007175325.tif 000002
【特許請求の範囲】
【請求項１】
フェース部、クラウン部およびソール部を備えた中空ゴルフクラブヘッドにおいて、フェース部の１次たわみモード周波数をＦｆ、クラウン部の１次たわみモード周波数をＦｃ、ソール部の１次たわみモード周波数をＦｓとしたとき、前記Ｆｆ、ＦｃおよびＦｓが下記式（１）、（２）および（３）
３０００Ｈｚ＜Ｆｆ＜４０００Ｈｚ  …（１）
３０００Ｈｚ＜Ｆｃ＜４０００Ｈｚ  …（２）
Ｆｓ＞４０００Ｈｚ  …（３）
を満たすとともに、フェース部、クラウン部およびソール部がいずれも３０００Ｈｚ以下のモード周波数を持たないことを特徴とするゴルフクラブヘッド。
【請求項２】
前記Ｆｆ、ＦｃおよびＦｓの減衰比がそれぞれ０．３以下であることを特徴とする請求項１に記載のゴルフクラブヘッド。
【請求項３】
ヘッド体積が３５０ｃｍ３以上であることを特徴とする請求項１または２に記載のゴルフクラブヘッド。
【請求項４】
ＵＳＧＡ（全米ゴルフ協会）により規定されたペンジュラム試験における特性時間が２５７μｓｅｃ以下であることを特徴とする請求項１〜３のいずれか１項に記載のゴルフクラブヘッド。
【発明の詳細な説明】
【技術分野】
【０００１】
本発明は、フェース部、クラウン部およびソール部の振動特性を制御することにより、飛距離および打音の最適化を図った中空ゴルフクラブヘッドに関する。
【背景技術】
【０００２】
従来、中空ゴルフクラブヘッドにおいて、ゴルフクラブヘッドの振動特性を制御することにより、ゴルフクラブヘッドの性能（打音や反発性）を向上させることが提案されている。
【０００３】
例えば、特許文献１には、ゴルフクラブヘッドを一次設計するステップ、ゴルフクラブヘッドをコンピュータでモード解析を行い振動特性を取得するステップ、ゴルフクラブヘッドを試作して打球音を採取するステップ、打球音と振動特性とに基づいて打球音を向上させる改良点を特定するステップ、および上記改良点を適用してゴルフクラブヘッドを二次設計するステップを含むゴルフクラブヘッドの設計方法が開示されている。
【０００４】
特許文献２には、電磁加振器を用いた中央支持定常加振法またはインパルスハンマーを用いたつり下げ打撃加振法による固有振動数測定において、フェース部の１次固有振動数とソール部の１次固有振動数との比が０．９５〜１．０５であるウッド型金属製中空ゴルフクラブヘッドが開示されている。
【０００５】
特許文献３には、フェース部の中央部を拘束した状態でのゴルフクラブヘッドの１次の固定固有振動数を５００Ｈｚ以上９００Ｈｚ以下とし、かつゴルフクラブヘッドの非拘束状態での１次の自由固有振動数を３０００Ｈｚ以上５０００Ｈｚ以下としたゴルフクラブヘッドが開示されている。
【０００６】
特許文献４には、スイートスポットにて測定するヘッド部の固有振動数をゴルフボールの固有振動数よりも小さくしたゴルフクラブが開示されている。
【０００７】
また、従来、フェース部のみの振動計測を行い、フェース部の１次周波数（１次固有振動数）を低周波数としてフェース部の低弾性化を図ることにより、打球の初速を向上させることが行われている。
【０００８】
【特許文献１】特開２００５−６７６３号公報
【特許文献２】特開２００４−１３５８５８号公報
【特許文献３】特開２００３−３３９９１９号公報
【特許文献４】特開２００２−１７９０４号公報
【発明の開示】
【発明が解決しようとする課題】
【０００９】
しかし、打球の初速を向上させるためには、フェース部の振動周波数だけではなく、その振動モード（動き方）が重要な要素となる。また、フェース部のみの振動特性を規定するだけでは、飛距離および打音の最適化の点で不十分であり、単にフェース部の１次周波数を低周波数としただけでは、打音に悪影響を与える。
【００１０】
本発明は、前述した事情に鑑みてなされたもので、フェース部、クラウン部およびソール部の振動特性を制御することにより、飛距離および打音の最適化を図った中空ゴルフクラブヘッドを提供することを目的とする。
【課題を解決するための手段】
【００１１】
本発明者は、前記目的を達成するために鋭意検討を行った結果、飛距離および打音には、フェース部の振動特性のみならずクラウン部およびソール部の振動特性も影響し、したがって飛距離および打音を最適化するためには、フェース部、クラウン部およびソール部の振動特性を制御する必要があること、また、振動特性としてフェース部、クラウン部およびソール部の１次たわみモード周波数を規定することが、飛距離および打音の最適化に重要であることを見出した。
【００１２】
本発明は、上述した知見に基づいてなされたもので、フェース部、クラウン部およびソール部を備えた中空ゴルフクラブヘッドにおいて、フェース部の１次たわみモード周波数をＦｆ、クラウン部の１次たわみモード周波数をＦｃ、ソール部の１次たわみモード周波数をＦｓとしたとき、前記Ｆｆ、ＦｃおよびＦｓが下記式（１）、（２）および（３）
３０００Ｈｚ＜Ｆｆ＜４０００Ｈｚ  …（１）
３０００Ｈｚ＜Ｆｃ＜４０００Ｈｚ  …（２）
Ｆｓ＞４０００Ｈｚ  …（３）
を満たすとともに、フェース部、クラウン部およびソール部がいずれも３０００Ｈｚ以下のモード周波数を持たないことを特徴とするゴルフクラブヘッドを提供する。
【発明の効果】
【００１３】
本発明のゴルフクラブヘッドは、飛距離が増大し、かつ打音が良いものである。
【発明を実施するための最良の形態】
【００１４】
以下、本発明につきさらに詳しく説明する。本発明のゴルフクラブヘッドは、フェース部、クラウン部およびソール部を有する。フェース部とは、ゴルフクラブヘッドのボールを打撃する正面部分をいう。ソール部とは、フェース部の下部から後方に延びてヘッドの底部を形成する部分をいう。クラウン部とは、フェース部の上部から後方に延びてヘッドの上部を形成する部分をいう。また、本発明のゴルフクラブヘッドは、サイド部やホゼル部を有していてもよい。サイド部とは、フェース部の上部と下部との間から後方に延びてヘッドの側部を形成する部分をいい、このサイド部には、トウ側サイド部、ヒール側サイド部およびバック側サイド部が含まれる。ホゼル部とは、シャフトが固定される部分をいう。
【００１５】
また、本発明において、各部位での１次たわみモード周波数とは、一般的にいう戻りモードや曲げモードではなく、各部位での振動の腹が１つだけ存在するモードとなる周波数のことをいう。本発明において、１次たわみモード周波数の測定方法に限定はないが、例えば後述する実施例のように、ゴルフクラブヘッドを加振して周波数応答関数を求める方法によって測定することができる。この場合、上記加振を行うに当たっては、ゴルフクラブヘッドの各計測点に加振力を加え、ある一点で応答振動を測定する方法（加振点移動法）を採用してもよく、ゴルフクラブヘッドのある一点に加振力を加え、各計測点で応答振動を測定する方法（応答点移動法）を採用してもよい。
【００１６】
本発明においては、フェース部の１次たわみモード周波数をＦｆ、クラウン部の１次たわみモード周波数をＦｃ、ソール部の１次たわみモード周波数をＦｓとしたとき、Ｆｆ、ＦｃおよびＦｓが前述した式（１）、（２）および（３）を満たすようにする。Ｆｆが３０００Ｈｚ以下であると打音が悪くなり、４０００Ｈｚ以上であると初速が低くなる。Ｆｃが３０００Ｈｚ以下であると打音が悪くなり、４０００Ｈｚ以上であると打ち出し角が小さくなる。Ｆｓが４０００Ｈｚ以下であると打ち出し角が小さくなる。
【００１７】
Ｆｆ、ＦｃおよびＦｓのより好ましい範囲は、下記式（４）、（５）および（６）の通りである。
【００１８】
３０００Ｈｚ＜Ｆｆ＜３５００Ｈｚ  …（４）
３０００Ｈｚ＜Ｆｃ＜３５００Ｈｚ  …（５）
５５００Ｈｚ＞Ｆｓ＞４５００Ｈｚ  …（６）
また、本発明では、フェース部、クラウン部およびソール部がいずれも３０００Ｈｚ以下のモード周波数を持たないようにする。すなわち、上記各部が、周波数３０００Ｈｚ以下において、モード周波数を持たないようにする。上記各部のいずれかが３０００Ｈｚ以下のモード周波数を持つと、打音が悪くなる。
【００１９】
本発明のゴルフクラブヘッドにおいて、Ｆｆ、ＦｃおよびＦｓが式（１）、（２）および（３）を満たすとともに、フェース部、クラウン部およびソール部がいずれも３０００Ｈｚ以下のモード周波数を持たないようにする手段としては、フェース部、クラウン部およびソール部の肉厚、面積、曲率等の各種パラメータを調節する手段、上記各部の材料を選択する手段、上記各部の１つ以上にリブを設ける手段などが挙げられるが、これらに限定されるものではない。
【００２０】
この場合、フェース部の振動特性は初速および打音に影響し、Ｆｆを小さくしてフェース部を低剛性化すると初速が大きくなって飛距離が増大するが、低剛性化しすぎると打音が悪くなる。クラウン部の振動特性は打ち出し角および打音に影響し、Ｆｃを低くしてクラウン部を低剛性化すると打ち出し角が大きくなって飛距離が増大するが、低剛性化しすぎると打音が悪くなる。ソール部の振動特性は打ち出し角および打音に影響し、Ｆｓを大きくしてソール部を高剛性化すると打ち出し角が大きくなって飛距離が増大するが、低剛性化しすぎると打音が悪くなる。
【００２１】
本発明において、Ｆｆ、ＦｃおよびＦｓの減衰比はそれぞれ０．３以下であることが好ましい。減衰比とは、振動のおさまり易さを示す指数をいい、減衰比が大きいほど振動はおさまり易く、小さいほど振動はおさまり難い。Ｆｆ、ＦｃおよびＦｓの減衰比を上記範囲とすることにより、伸びのある打音を得ることができる。上記減衰比のより好ましい範囲は０．１〜０．２５である。
【００２２】
本発明においては、ゴルフクラブヘッドの体積を３５０ｃｍ３以上とすることが好ましい。すなわち、体積の大きいゴルフクラブヘッドは一般に固有振動数が低くなり、打音が悪くなる傾向があるが、体積の大きいゴルフクラブヘッドに本発明を適用した場合には、打音が良いゴルフクラブヘッドを得ることができる。ゴルフクラブヘッドの体積のより好ましい範囲は３８０〜４７０ｃｍ３である。
【００２３】
本発明のゴルフクラブヘッドは、ＵＳＧＡ（全米ゴルフ協会）により規定されたペンジュラム試験における特性時間が２５７μｓｅｃ以下であることが好ましい。ＵＳＧＡにより規定されたペンジュラム試験とは、金属球をフェース面に振り子状に衝突させた時の接触時間から特性時間を算出し、ゴルフクラブのＳＬＥ（Ｓｐｒｉｎｇ  Ｌｉｋｅ  Ｅｆｆｅｃｔ）を計測するための試験をいう。本発明では、フェース部を低弾性化することにより初速が大きくなるが、上記ペンジュラム試験における特性時間を２５７μｓｅｃ以下とした場合には、ＵＳＧＡのルールに適合したゴルフクラブを得ることができる。
【００２４】
本発明のゴルフクラブヘッドの製造方法に限定はないが、例えば、ヘッド本体のフェース開口部をフェース部材で閉塞することによって製造することができる。この場合、ヘッド本体の材質や成形方法に限定はないが、材質としてはチタン、チタン合金、ステンレス鋼、アモルファス等を使用することができ、成形方法としては鋳造法等を用いることができる。フェース部材の材質や成形方法にも特に限定はないが、材質としてはチタン、チタン合金、ステンレス鋼、アモルファス等を使用することができ、成形方法としては鍛造法、プレスフォーミング法、ダイキャスト法等を用いることができる。また、ヘッド本体とフェース部材との接合方法に限定はないが、接合箇所をきれいに仕上げる点、ゴルフクラブヘッドの重量精度を高める点などで、プラズマ溶接、レーザ溶接、電子ビーム溶接が好適である。
【実施例】
【００２５】
（振動特性測定方法）
まず、ゴルフクラブヘッドの振動特性測定方法について述べる。本実施例では、図１に示す振動特性測定装置を用いた。図１において、１０はデータステーション、１２はインパルスハンマー、１４は加速度計、１６は振動特性解析用の汎用型パーソナルコンピュータ（ＰＣ）を示す。インパルスハンマー１２、加速度計１４、ＰＣ１６は、いずれもデータステーション１０に接続されている。また、ＰＣ１６には、周波数応答関数を算出するＦＦＴ解析ソフトおよびモーダルパラメータを算出するモーダル解析ソフトが内蔵されている。
【００２６】
具体的には、各機器として以下のものを用いた。
・データステーション１０：小野測器（株）製ＤＳ２０００
・インパルスハンマー１２：ＤＹＴＲＡＮ社製５８００ＳＬ
・加速度計１４：小野測器（株）製ＮＰ３２１０
・ＦＦＴ解析ソフト：小野測器（株）製ＤＳ０２２１
・モーダル解析ソフト：VibrantTechnology社製Ｖｉｓｕａｌ  Ｍｏｄａｌ
本実施例において、ゴルフクラブヘッドの振動特性の測定は下記の手順で行った。
（１）測定対象となるゴルフクラブヘッド（被計測ヘッド）を準備し、計測点の決定を行った。計測点は、約１００箇所とした。
（２）ＰＣ１６により被計測ヘッドのモデルを作製した。図２に上記モデル２０の３Ｄ図を示す。直線の交点２２が各計測点である。
（３）図１に示した装置を用い、加振点移動法によって周波数応答関数の計測を行った。この場合、図１に示すように、加速度計１４を接着剤によって被計測ヘッド３０のフェース部３４（好ましくはフェース周縁部）に接着し、インパルスハンマー１２によってフェース部３４、クラウン部３６、ソール部３２に加振力を加えた。なお、被計測ヘッド３０はポリウレタン製のスポンジ状マットの上に置いて計測を行ったが、被計測ヘッド３０を空中に吊り下げて計測を行うことがより好ましい。
（４）ＰＣ１６を用いて周波数応答関数の計測およびモーダル解析を行った。具体的には、カーブフィット、モーダルパラメータ（固有値、減衰比、振幅、位相）の算出、モードアニメーションを行った。図３に周波数応答関数の解析結果の一例を示す。図３において、ａは実測値、ｂはカーブフィットした理論値を示す。
（５）各モードにおける振動部位、振動の仕方を観察し、各部位の１次たわみモードおよびその周波数を特定する。
【００２７】
（実施例）
ヘッド本体のフェース開口部にフェース部材を固着してゴルフクラブヘッドを作製した。ヘッド本体の材質は６−４Ｔｉ（Ｔｉ−６Ａｌ−４Ｖ）、フェース部材の材質はＳＡＴ２０４１（Ｔｉ−２０Ｖ−４Ａｌ−１Ｓｎ）とした。この場合、フェース部、クラウン部およびソール部の肉厚を変化させることにより、Ｆｆ、ＦｃおよびＦｓを表１に示す値とした実施例および比較例１〜３のゴルフクラブヘッドを作製した。すなわち、肉厚を厚くすれば剛性が高くなって１次たわみモード周波数は高くなり、肉厚を薄くすれば剛性が低くなって１次たわみモード周波数は低くなる。したがって、肉厚をコントロールすることにより、剛性を変化させ、１次たわみモード周波数を変化させることができる。
【００２８】
次いで、前述した振動特性測定方法により、実施例および比較例１〜３のゴルフクラブヘッドのＦｆ、ＦｃおよびＦｓを測定した。結果を表１に示す。表１における評価基準は下記の通りである。
・初速◎：初速が大きい
・初速×：初速が小さい
・打ち出し角◎：打ち出し角が大きい
・打ち出し角△：打ち出し角がやや小さい
・打音◎：打音が良い
・打音×：打音が悪い
【００２９】
【表１】
2007175325.tif 000003
【００３０】
表１より、Ｆｆ、ＦｃおよびＦｓが式（１）、（２）および（３）を満たす場合は、初速が大きく、打ち出し角が高く、打音がよいことが確認された。これに対し、Ｆｆが４０００Ｈｚ以上であると初速が低くなり、Ｆｃが４０００Ｈｚ以上であると打ち出し角が小さくなり、Ｆｆ、Ｆｓ、Ｆｃのいずれかが３０００Ｈｚ以下であると打音が悪くなるものであった。
【図面の簡単な説明】
【００３１】
【図１】実施例で用いたゴルフクラブヘッドの振動特性測定装置を示す概略図である。
【図２】実施例において作製した被計測ヘッドのモデルを示す３Ｄ図である。
【図３】実施例で計測した周波数応答関数の一例を示すグラフである。
【符号の説明】
【００３２】
１０  データステーション
１２  インパルスハンマー
１４  加速度計
１６  パーソナルコンピュータ
２０  モデル
２２  計測点
３０  ゴルフクラブヘッド
３２  ソール部
３４  フェース部
３６  クラウン部
【図１】
2007175325.tif 000004
【図２】
2007175325.tif 000005
【図３】
2007175325.tif 000006